(57)【要約】【課題】番組のジャンルに基づいて映像・音声出力の特性を調整する際に、視聴者に違和感を覚えさせないようにしたデジタル放送受信装置を提供することである。【解決手段】デジタル放送受信装置は、ジャンル情報別に映像特性及び音声特性のを設定した設定情報を格納する設定格納手段１２と、映像信号の特性を調整する映像信号生成手段６と、音声信号の特性を調整する音声信号生成手段７と、抽出された番組内容データに含まれるジャンル情報を監視し、ジャンル情報の変更が検知されたときに、変更後のジャンルにおける設定情報を設定格納手段１２から読み出し、読み出された設定情報に基づいて、所定の時間毎に所定の変化量ずつ段階的に前記特性を変更するように映像信号生成手段６と音声信号生成手段７を制御する制御手段１１とを有する。【選択図】        図１
2006245745.tif 000002
【特許請求の範囲】
【請求項１】
放送番組の映像データ、音声データ、及び、ジャンル情報を含む番組内容データを多重化したデータから、前記映像データ、前記音声データ、及び前記番組内容データを分離して出力する多重分離手段と、
ジャンル情報別に映像特性及び音声特性の内の少なくとも一方の特性を設定した設定情報を格納する設定格納手段と、
前記映像データ及び前記音声データの少なくとも一方の特性を調整して、前記映像データ及び前記音声データに基づく映像信号及び音声信号を出力する信号生成手段と、
前記抽出された番組内容データに含まれるジャンル情報を監視し、前記ジャンル情報の変更が検知されたときに、変更後のジャンルにおける設定情報を前記設定格納手段から読み出し、前記読み出された設定情報に基づいて、所定の時間毎に所定の変化量ずつ段階的に前記特性を変更するように前記信号生成手段を制御する制御手段と
を有することを特徴とするデジタル放送受信装置。
【請求項２】
前記データ処理手段は、複数の放送の前記多重化したデータを受け取り、前記複数の放送のそれぞれについて前記映像データ、前記音声データ、及び前記番組内容データを分離して出力し、
前記制御手段は、前記ジャンル情報の検知を前記複数の放送のそれぞれについて行い、前記特性の変更を前記複数の放送の内のジャンル情報が変更された放送に対して行う
ことを特徴とする請求項１に記載のデジタル放送受信装置。
【請求項３】
前記信号生成手段が、
前記映像信号の特性を調整する映像信号生成手段と、
前記音声信号の特性を調整する音声信号生成手段と
を有することを特徴とする請求項１又は２のいずれかに記載のデジタル放送受信装置。
【請求項４】
前記ジャンル情報の検知は、チャンネル変更時及び放送番組の切り替わり時の少なくとも一方において行うことを特徴とする請求項１から３までのいずれかに記載のデジタル放送受信装置。
【請求項５】
前記設定格納手段は、地上デジタル放送、ＢＳデジタル放送、及びＣＳデジタル放送毎に設定情報を格納することを特徴とする請求項１から４までのいずれかに記載のデジタル放送受信装置。
【請求項６】
前記制御手段は、前記信号生成手段に対して調整を指示中にジャンル情報が変化した場合には、前記変化の時点の直前の設定状態から前記変化の後の設定に変更するように制御を行うことを特徴とする請求項１から５までのいずれかに記載のデジタル放送受信装置。
【請求項７】
前記制御手段は、前記映像データ及び前記音声データの両方の特性を調整する際、両方の調整が同時に終了するように制御をすることを特徴とする請求項１から６までのいずれかに記載のデジタル放送受信装置。
【発明の詳細な説明】
【技術分野】
【０００１】
本発明は、地上デジタル放送及び衛星（ＢＳ、ＣＳ）デジタル放送等を受信するデジタル放送受信装置に関し、特に、映像出力及び音声出力の制御方法に関するものである。
【背景技術】
【０００２】
デジタル放送システムでは、映像データ及び音声データ以外に、番組のジャンル情報を含む番組内容データも伝送される。この番組のジャンル情報を利用して、受信した放送の出力映像特性及び出力音声特性を、ジャンル別にユーザーの好みに応じて設定できるデジタル放送受信装置の提案がある（例えば、特許文献１参照）。このデジタル放送受信装置では、予めジャンル毎に調整量を設定し、その調整量を記憶している。視聴チャンネルが変更されたときに、変更後のチャンネルで放映される番組のジャンルを取得し、取得されたジャンルについての調整量に応じて出力映像特性及び出力音声特性を自動的に調整する。
【０００３】
【特許文献１】特開平１０−３２２６２２号公報（段落００１９ー００２１、図３）
【発明の開示】
【発明が解決しようとする課題】
【０００４】
しかしながら、上記した従来のデジタル放送受信装置では、視聴者が短い時間間隔で連続的にチャンネルを切り替えるような操作をする場合に、チャンネル切り替えに追従して出力映像特性（例えば、映像の輝度）や出力音声特性（例えば、音量）が頻繁に変化することになる。この場合には、頻繁に変化する出力映像特性や出力音声特性によって、視聴者に違和感（映像・音声の不自然な変化）を感じさせることになる。特に、ジャンル間で調整量が極端に大きい場合には、視聴者は顕著な違和感（映像・音声の不自然な変化）を感じることになる。また、チャンネル切り替え時だけでなく、視聴中に放送の番組が切り替わった際にも、ジャンル間で調整量が極端に大きい場合には、視聴者は顕著な違和感（映像・音声の不自然な変化）を感じることになる。
【０００５】
そこで、本発明は、上記したような従来技術の課題を解決するためになされたものであり、その目的は、番組のジャンルに基づいて映像特性・音声特性を自動調整する際に、視聴者に違和感を与えないようにしたデジタル放送受信装置を提供することである。
【課題を解決するための手段】
【０００６】
本発明のデジタル放送受信装置は、放送番組の映像データ、音声データ、及び、ジャンル情報を含む番組内容データを多重化したデータから、前記映像データ、前記音声データ、及び前記番組内容データを分離して出力する多重分離手段と、ジャンル情報別に映像特性及び音声特性の内の少なくとも一方の特性を設定した設定情報を格納する設定格納手段と、前記映像データ及び前記音声データの少なくとも一方の特性を調整して、前記映像データ及び前記音声データに基づく映像信号及び音声信号を出力する信号生成手段と、前記抽出された番組内容データに含まれるジャンル情報を監視し、前記ジャンル情報の変更が検知されたときに、変更後のジャンルにおける設定情報を前記設定格納手段から読み出し、前記読み出された設定情報に基づいて、所定の時間毎に所定の変化量ずつ段階的に前記特性を変更するように前記信号生成手段を制御する制御手段とを有することを特徴としている。
【発明の効果】
【０００７】
本発明によれば、番組のジャンル別に映像特性及び／又は音声特性を調製する際に、現在の映像特性の設定及び／又は音声特性の設定から次の映像特性の設定及び／又は音声特性の設定になるまで、所定の時間毎に所定の変化量ずつ段階的に特性を変化させるような制御を行うので、視聴者が感じる違和感を軽減することができるという効果がある。
【発明を実施するための最良の形態】
【０００８】
実施の形態１．
図１は、本発明の実施の形態１に係るデジタル放送受信装置の構成を概略的に示すブロック図である。図１に示されるように、実施の形態１に係るデジタル放送受信装置は、放送電波を受信するアンテナ１と、放送電波を選択して復調を行うチューナ２と、映像データ、音声データ、及び番組情報データの多重データから映像データ、音声データ、及び番組情報データを分離する多重分離手段３と、多重分離手段３で分離された映像データを復号化する映像復号手段４と、多重分離手段３で分離された音声データを復号化する音声復号手段５と、映像復号手段４で復号された復号映像データから必要な同期信号などを付加して映像信号を生成する映像信号生成手段６と、音声復号手段５で復号された復号音声データをアナログ信号に変換する音声信号生成手段７と、例えば、ディスプレイモニタなどの映像出力手段８と、例えば、スピーカなどの音声出力手段９とを有している。また、実施の形態１に係るデジタル放送受信装置は、視聴者が本装置の操作を行うための、例えば、リモコンなどの操作手段１０と、本装置を制御するための制御手段１１と、出力する映像信号の特性及び出力する音声信号の特性のパラメータ設定値を格納する、例えば、不揮発性メモリ等の設定格納手段１２とを有している。
【０００９】
次に、実施の形態１に係るデジタル放送受信装置の動作を説明する。アンテナ１で受信した放送電波は、チューナ２によって目的の搬送波を選択抽出するとともに復調して、デジタル多重信号が生成される。なお、デジタル放送では、ＭＰＥＧ２−Ｓｙｓｔｅｍｓ（ＩＳＯ／ＩＥＣ１３８１８−１）で定義されるＴＳ（Ｔｒａｎｓｐｏｒｔ  Ｓｔｒｅａｍ）に準拠した多重信号形式を用いている。視聴者が操作手段１０を使って番組選択を実施すると、操作手段１０からの番組選択情報を制御手段１１が受け取る。制御手段１１は、チューナ２を制御し、選択された番組のデジタル多重信号を抽出させる。チューナ２から出力されるデジタル多重信号は、多重分離手段３によって映像データ、音声データ、及び番組情報データに分離される。分離された映像データ及び音声データは、符号化された状態であるので、これを映像復号手段４及び音声復号手段５によって復号化する。復号された復号映像データは、映像信号生成手段６によって、所定のタイミングで出力されるとともに、同期信号を付加される。また、映像信号生成手段６では、制御手段１１からの指示によって輝度、コントラスト、彩度といった画質調整を行う。なお、表示手段８の入力仕様によっては、映像信号生成手段６にてＤ／Ａ変換してアナログ信号として出力する。映像信号生成手段６から出力された映像信号は、映像表示手段８に入力されこれによって視聴者は番組の映像を見ることができる。一方、音声復号手段５から出力された復号音声データは、音声信号生成手段７によってＤ／Ａ変換され、さらに制御手段１１の指示によって音量、音質の調整を行って出力される。出力された音声信号は、音声出力手段９によって音として視聴者が聞くことができる。
【００１０】
次に、番組情報データによって自動的に映像特性、音声特性を調整する方法について説明する。多重分離手段３によって分離された番組情報データは、図示しないメモリ上に格納され、それを制御手段１１が読み出し、番組情報データに含まれる番組ジャンル情報を取得する。なお、現在のデジタル放送では、「ニュース／報道」、「スポーツ」、「情報／ワイドショー」、「ドラマ」、「バラエティ」、「映画」、「アニメ／特撮」、「ドキュメンタリー／教養」、「劇場／公演」、「趣味／教育」、「福祉」などがジャンルとして定義されている。ただし、ジャンルは、上記分類に限定されない。
【００１１】
設定格納手段１２には、各ジャンル別の音量、音質、画質についての設定情報がテーブルとして格納されている。テーブルの一例を図２に示す。図２には、代表的なジャンルとして、「映画」、「ニュース」、「バラエティ」をあげている。
【００１２】
図２に示すテーブルには各ジャンルに対応して、音量、音質（高音）、音質（低音）、輝度、コントラスト、彩度に関してどのような調整を行うかを決めた設定情報が格納されている。例えば、「映画」に関しては、音量の変更はせず臨場感を増すために低音を強調する調整を行い、輝度に関しては長時間の視聴を考慮して標準設定より所定量下げ（−ｇ）、コントラストは変更せず、彩度は標準設定より所定量上げる（＋ｊ）ように調整を行うことを意味している。また、「ニュース」に関しては、人の声が聞き取りやすくなるように音量を標準設定より所定量上げ（＋ａ）、音質も人の声の帯域を強調するように調整する。「ニュース」を視聴する場合の映像については、輝度と彩度は標準設定より変更せず、文字などが読みやすくなるようコントラストを標準設定より上げる（＋ｉ）ように調整する。
【００１３】
なお、図２において、ａ，ｂ，ｃ，ｄ，ｅ，ｆ，ｇ，ｈ，ｉ，ｊ，ｋの値は音量、音質、輝度、コントラスト、彩度については表示手段８と音声出力手段９が表示又は出力できる範囲内で、予め量子化されたステップ値である。また、「＋」及び「−」の意味は、それぞれ標準設定ＲＥＦからその効果が上がる方向が「＋」であり、効果が下がるものが「−」としている。例えば、映像の輝度にある「＋ｈ」は、標準設定ＲＥＦから輝度をｈステップ分上げることを意味する。図３は音量について予め量子化されたステップ値の概念を示す図であり、図４は輝度について予め量子化されたステップ値の概念を示す図であり、図５はコントラストについて予め量子化されたステップ値の概念を示す図である。これらの図にある“０”に相当する調整が標準設定を意味し、そこからプラス方向あるいはマイナス方向に調整することで、対応する効果が増減することになる。
【００１４】
図６は、本発明の実施の形態１に係るデジタル放送受信装置における映像特性、音声特性の自動設定方法を示すフローチャートである。
【００１５】
視聴者がチャンネルを変更して番組が変わる、あるいは視聴番組の切り替わりによって番組内容が変わった場合、制御手段１１は番組内容が変わったかどうかの判定を実施する（ステップＳ１）。次に、制御手段１１は、番組変化後の番組情報データを取得し、その中にある番組ジャンル情報を抽出する（ステップＳ２）。次に、制御手段１１は抽出した番組ジャンル情報に対応した設定情報を設定格納手段１２に格納されたテーブルから読み出す（ステップＳ３）。次に、制御手段１１は、現在の設定情報と次の設定情報に差分がないかどうかを判定する（ステップＳ４）。もし、設定情報が同じものであれば処理を終了する。また、設定情報が異なる場合には、現在の設定から次の設定まで変化させる（ステップＳ５〜Ｓ７）。
【００１６】
ここで、現在の設定から次の設定まで変化させる方法について図７を用いて説明する。例えば、音量について現在の設定値が設定値Ａであり、また、チャンネル変更によって番組ジャンルが変わり設定値Ｂに設定される場合について説明する。ここで、例えば、図２の＋ａは、標準設定ＲＥＦ（図７のＲＥＦは一例であり、図７の位置に限定されない。）から輝度をａステップ分上げることを意味する。また、ステップ値ｓは、設定値ＡとＢとの差分を、所定値（経過時間Ｔが所定時間を越えない範囲内で定める。）で等分した値である。設定値Ｂと設定値Ａの差分量を差分Ｘ＝（Ｂ−Ａ）とし、ステップ値をｓとし、ステップ時間をｔとし、設定値ＡからＢまでの変化の所要時間をＴとしたときに、
Ｔ＝｛（Ｂ−Ａ）／ｓ｝・ｔ＝（Ｘ／ｓ）・ｔ
となる。つまり、大きな設定変化がある場合にはそれだけ時間をかけて次の設定状態に移行することになる。
【００１７】
なお、音声と映像について、音量、音質、輝度、コントラストなど複数の変更候補がある場合には、順番に実施せずこれらを同時に（すなわち、並行して）実施する。つまり、予め決められたステップ時間ｔ毎に、量子化された１ステップだけ音量、音質、輝度、コントラストをそれぞれ変化させる。
【００１８】
次に、次の設定への変更が終了する前にチャネルが切り替えられた場合について図８を用いて説明する。この例では、チャンネルが切り替えられたことにより、番組のジャンルも変わった場合を説明する。設定値Ａから次の設定値Ｂに向かってステップ時間ｔで変化させていた途中の時刻Ｔ１において、新たな番組ジャンル情報を取得し、新たな設定値Ｃを設定格納手段１２のテーブルから読み取った場合を説明する。この場合には、現在の設定状態から徐々に設定値Ｃに変化させるように制御を行う。つまり、変更中の設定値は常に制御手段１１が管理しており、チャンネル変更があり、かつ、その結果番組ジャンルに変更があった場合には、変更中の値と、設定値Ｃの差分量を算出し、差分量が差分Ｙであった場合には、（Ｙ／ｓ）・ｔ時間をかけて特性（図８においては音量）を変化させる。
【００１９】
なお、実施の形態１では、設定格納手段１２に、図２に示すようなテーブルが格納されていることを前提として説明したが、図９（ａ）及び（ｂ）に示すようにネットワーク別にテーブルを格納してもよい。図９（ａ）及び（ｂ）のテーブルを用いた制御について説明する。なお、図９（ａ）において、ａ＿ｔ，ｂ＿ｔ，ｃ＿ｔ，ｄ＿ｔ，ｅ＿ｔ，ｆ＿ｔ，ｇ＿ｔ，ｈ＿ｔ，ｉ＿ｔ，ｊ＿ｔ，ｋ＿ｔの値は、音量、音質、輝度、コントラスト、彩度については表示手段８と音声出力手段９が表示又は出力できる範囲内で、予め量子化されたステップ値である。なお、図９（ｂ）において、ａ＿ｂ，ｂ＿ｂ，ｃ＿ｂｔ，ｄ＿ｂ，ｅ＿ｂ，ｆ＿ｂ，ｇ＿ｂ，ｈ＿ｂ，ｉ＿ｂ，ｊ＿ｂ，ｋ＿ｂの値は、音量、音質、輝度、コントラスト、彩度については表示手段８と音声出力手段９が表示又は出力できる範囲内で、予め量子化されたステップ値である。
【００２０】
ＢＳデジタル放送にチャンネルが切り替えられたことを把握した制御手段１１は、設定格納手段１２のＢＳデジタル放送用のテーブル（図９（ｂ））を使って次の設定情報を読み出す。例えば、視聴する番組の番組ジャンル情報が「バラエティ」であった場合、音量は標準設定より（＋ｂ＿ｂ）上げるという情報を取得する。音質（高音）、音質（低音）、輝度、コントラスト、彩度についてもテーブルから設定情報を制御手段１１が読み出して、さらに制御手段１１は映像信号生成手段６及び音声信号生成手段７に対して所望の変化量分だけ変化させるような指示を出す。映像信号生成手段６及び音声信号生成手段７は、制御手段１１の指示を受けて、所望の変化量に対応した制御を行う。
【００２１】
以上説明したように、実施の形態１のデジタル放送受信装置によれば、番組のジャンル別に映像特性及び／又は音声特性を調製する際に、現在の映像特性の設定及び／又は音声特性の設定から次の映像特性の設定及び／又は音声特性の設定になるまで、所定の時間毎に所定の変化量ずつ段階的に特性を変化させるような制御を行うので、視聴者が感じる違和感を軽減する（すなわち、視聴者が映像特性・音声特性の不自然な変化を感じ難くする）ことができる。
【００２２】
また、実施の形態１のデジタル放送受信装置によれば、視聴者がチャンネルを変更した時又は番組の切り替わり時のみジャンルが変更したかどうかを判定するので、ジャンルの変更を常時監視する必要がない。
【００２３】
また、実施の形態１のデジタル放送受信装置において、地上デジタル放送、ＢＳデジタル放送、ＣＳデジタル放送といったネットワークについて個別に設定情報を用意し、これら個別の設定情報をもとに映像出力特性及び／又は音声出力特性を調整する場合には、各ネットワークでの放送番組の映像品位及び／又は音声品位に対応した調整を行うことができ、視聴者に与える違和感を一層軽減することができる。
【００２４】
実施の形態２．
上記実施の形態１では、１つの画面に１つの番組を表示する場合の自動制御方法を説明したが、本発明は、１つの画面に複数の番組を表示する場合の自動制御方法にも適用できる。実施の形態２では、１つの画面に２つの番組を表示する場合の自動制御方法を説明する。
【００２５】
図１０は、本発明の実施の形態２に係るデジタル放送受信装置の構成を概略的に示すブロック図である。図１０に示されるように、実施の形態２に係るデジタル放送受信装置は、放送電波を受信する第１のアンテナ１と、放送電波を受信する第２のアンテナ１３と、放送電波を選択して復調を行う第１のチューナ２と、放送電波を選択して復調を行う第２のチューナ１４と、映像データ、音声データ、及び番組情報データの多重データから映像データ、音声データ、及び番組情報データを分離する多重分離手段３と、多重分離手段３で分離された映像データを復号化する映像復号手段４と、多重分離手段３で分離された音声データを復号化する音声復号手段５と、映像復号手段４で復号された復号映像データから必要な同期信号などを付加して映像信号を生成する映像信号生成手段６と、音声復号手段５で復号された復号音声データをアナログ信号に変換する音声信号生成手段７と、例えば、ディスプレイモニタなどの映像出力手段８と、例えば、スピーカなどの第１の音声出力手段９と、例えば、スピーカなどの第２の音声出力手段１８とを有している。また、実施の形態２に係るデジタル放送受信装置は、視聴者が本装置の操作を行うための、例えば、リモコンなどの操作手段１０と、本装置を制御するための制御手段１１と、出力する映像信号の特性及び出力する音声信号の特性のパラメータ設定値を格納する、例えば、不揮発性メモリ等の設定格納手段１２とを有している。
【００２６】
第１のチューナ２は、第１のアンテナ１において受信した放送電波に含まれる搬送波から目的の搬送波を選択して抽出した後に、当該搬送波を復調して第１のデジタル多重信号を生成する。また、第２のチューナ１４は、第２のアンテナ１３において受信した放送電波に含まれる搬送波から目的の搬送波を選択して抽出した後に、当該搬送波を復調して第２のデジタル多重信号を生成する。第１のデジタル多重信号と第２のデジタル多重信号は共に多重分離手段１５に入力される。多重分離手段１５では、第１のデジタル多重信号及び第２のデジタル多重信号を、第１の映像データ、第１の音声データ、第１の番組情報データ及び、第２の映像データ及び、第２の音声データ、第２の番組情報データにそれぞれ分離する。分離された映像データ及び音声データは符号化された状態であるので、これらを映像復号手段４及び音声復号手段５によって復号化する。復号化された第１の復号映像データと第２の復号映像データはそれらを１つの画面で表示するために映像合成処理を映像信号生成手段１６で実施する
【００２７】
図１１は、１つの画面に２つの番組を表示する一例として、ＰｉｎＰ（Ｐｉｃｔｕｒｅ  ｉｎ  Ｐｉｃｔｕｒｅ）表示の場合を示した図である。復号化された第１の映像データを第１の表示領域３０に表示し、復号化された第２の映像データを第２の表示領域に表示する場合について示す。
【００２８】
まず、制御手段１１が、第１の番組情報データから第１の番組ジャンル情報を抽出する。また、制御手段１１が、第２の番組情報データから第２の番組ジャンル情報を抽出する。次に、抽出した第１の番組ジャンル情報をもとに、設定格納手段１２にあるテーブルから音量、音質、輝度、コントラスト、彩度に関する第１の設定情報を読み出す。また、抽出した第２の番組ジャンル情報をもとに、設定格納手段１２にあるテーブルから音量、音質、輝度、コントラスト、彩度に関する第２の設定情報を読み出す。
【００２９】
第１の設定情報と第２の設定情報はそれぞれ、第１の番組及び第２の番組を表示又は音声出力するための映像特性及び音声特性を決定するものである。制御手段１１は、第１の設定情報のなかで輝度、コントラスト、彩度の設定値を映像信号生成手段１６に通知し、映像信号生成手段１６は、輝度、コントラスト、彩度の設定値に応じた映像信号調整を第１の映像データに対して行う。また、制御手段１１は、第２の設定情報のなかで輝度、コントラスト、彩度の設定値を映像信号生成手段１６に通知し、映像信号生成手段１６は、輝度、コントラスト、彩度の設定値に応じた映像信号調整を第２の映像データに対して行う。次に、映像信号生成手段１６は、第１の復号映像データと、第２の復号映像データを図１１に示すような表示画面となるように映像データの合成処理を行う。さらに、映像信号生成手段１６では所定のタイミングで映像信号を出力するとともに同期信号を付加する。
【００３０】
また、第１の復号音声データと第２の復号音声データは、音声信号生成手段１７により、第１の音声信号と第２の音声信号となり第１の音声出力手段９と第２の音声出力手段１８に入力される。その結果、視聴者は、第１の音声信号と第２の音声信号を、第１の音声出力手段９及び第２の音声出力手段１８から出力される音として聞くことができる。
【００３１】
なお、視聴者側の使い勝手を考慮した場合には、スピーカから２つの番組の音声が混ざりあって出力させるような使い方は少ないので、第１の音声出力手段９がスピーカであり、第２の音声出力手段１８がライン出力であることが望ましい。
【００３２】
次に、実施の形態２に係るデジタル放送受信装置における映像特性、音声特性自動設定方法のフローチャートについて説明する。視聴者がチャンネルを変更して番組が変わる、あるいは視聴番組の切り替わりによって第１の番組内容が変わった場合、第１の番組ジャンル情報をもとに制御手段１１は、実施の形態１の場合と同様に、図６に示されるフローチャートに従って次の設定値になるように設定を行う。ここで、制御手段１１は、図６に示されるフローを、チューナの数だけ並列に実施する。つまり、第１のチューナ２で受信した番組に対して、ステップＳ１からステップＳ７までの処理を実行しながら、第２のチューナ１４で受信した番組に対して、ステップＳ１からステップＳ７までの処理を実行することができる。一般的なリアルタイムＯＳ（オペレーティングシステム）では、こうした複数の処理をタスクと呼ぶ単位で管理し、それぞれのタスクを時分割に実施することができる。実施の形態２に係るデジタル放送受信装置においては、制御手段１１が、リアルタイムＯＳ機能を含んでいる。
【００３３】
例えば、第１のチューナ２でジャンルが「映画」である番組を視聴中に、操作手段１０によってチャンネルを切り替えて、ジャンルが「ニュース」である番組を視聴した場合、制御手段１１は、設定格納手段１２からジャンル「ニュース」の設定情報を読み出し、音量は標準設定よりａだけ上げ、輝度はｇだけ下げるという情報を取得する。これによって、制御手段１１は、現在の設定値から次の設定値まで、予め決められたステップ時間ｔで変化させるように映像信号生成手段１６と音声信号生成手段１７を制御する。なお、映像信号生成手段１６では、設定の変更の有無によらず所定のタイミングで、第１の復号映像データと第２の復号映像データを合成して、図１１に示す表示画面を生成するとともに、必要な同期信号などを付加して映像信号を生成する。生成された映像信号は映像表示手段８によって表示される。
【００３４】
また、視聴者の操作によって第２のチューナ１４で視聴している番組内容が変わった場合、第２の番組のジャンル情報をもとに、制御手段１１は、実施の形態１と同様に図６に示すフローに従って、次の設定値になるように設定を行う。例えば、第２のチューナ１４でジャンルが「ニュース」である番組を視聴中に、操作手段１０によってチャンネルを切り替えて、ジャンルが「映画」である番組を視聴した場合、制御手段１１は、設定格納手段１２から設定情報を読み出し、音量は標準設定よりａだけ下げ、輝度はｇ上げるという情報を取得する。これによって、制御手段１１は現在の設定値から次の設定値まで、予め決められたステップ時間ｔでステップ値を変化させるように映像信号生成手段１６と音声信号生成手段１７を制御する。なお、予め決められた量子化されたステップ値の意味については、実施の形態１と同様である。また、映像信号生成手段１６では、設定変更の有無によらす所定のタイミングで、第１の復号映像データと第２の復号映像データを合成して、図１１に示す表示画面を生成するとともに、必要な同期信号などを付加して映像信号を生成する。生成された映像信号は映像表示手段８によって表示される。
【００３５】
図１２は、第１のチューナ２と第２のチューナ１４で番組視聴中に、同時に番組内容が変化した場合に、制御手段１１が、時間的に音量をどのように制御するか示したものである。同時に番組内容が変化した場合には、図１２に示すように、予め決められたステップ時間ｔ毎に設定値を変更していくように制御を行う。ここでは、音量についてのみ説明したが、音質（高音）、音質（低音）、輝度、コントラスト、彩度についても同様の制御による。
【００３６】
また、実施の形態２では、番組のジャンルで映像特性、音声特性を自動制御する方法について示したが、同じジャンルであってもネットワークの違いによって異なる設定情報で制御することもできる。この場合、設定格納手段１２に格納するテーブルとして図９（ａ）及び（ｂ）のような、ネットワーク毎に異なる設定情報を用いて同様の制御を行う。
【００３７】
例えば、地上デジタル放送でジャンルが「ニュース」である番組を視聴中に、ネットワークを切り替えてＢＳデジタル放送を視聴した場合について説明する。地上デジタル放送を視聴中に、視聴者が操作手段１０を使ってネットワークを切り替えるための操作をすると、制御手段１１は、これを検知して第１のチューナ２に対してネットワークの切り替えを指示する。ネットワークの切り替え指示を受けた第１のチューナ２は、該当のネットワークに切り替えて目的の搬送波を選択抽出するとともに復調してデジタル多重信号を生成する。第１のチューナ２から出力されるデジタル多重信号は、第１の多重分離手段３によって映像データ、音声データ、及び番組情報データに分離される。第１の多重分離手段３によって分離された番組情報データは、図示しないメモリ上に格納され、それを制御手段１１が読み出すことができる。制御手段１１は、図示しないメモリ上の番組情報データに含まれる番組ジャンル情報を抽出する。
【００３８】
ＢＳデジタル放送に切り替えたことを把握している制御手段１１は、設定格納手段１２のＢＳデジタル放送用のテーブルを使って次の設定情報を読み出す。例えば、視聴する番組のジャンル情報が「バラエティ」であった場合、音量は標準設定より＋ｂ＿ｂ上げるという情報を取得する。制御手段１１は、音質（高音）、音質（低音）、輝度、コントラスト、彩度についても、テーブルから設定情報を読み出し、さらにジャンル変更のあった番組の映像データ、音声データについて、映像信号生成手段１６及び音声信号生成手段１７に対して所望の変化量分だけ特性を変化させるような指示を出す。映像信号生成手段１６及び音声信号生成手段１７は、制御手段１１の指示を受けて、所望の変化量に対応した制御を行う。
【００３９】
なお、実施の形態１及び２において、音声と映像について、音量、音質、輝度、コントラストなど複数の変更候補がある場合には、予め決められたステップ時間ｔ毎に、量子化された１ステップだけ音量、音質、輝度、コントラストをそれぞれ変化させたが、すべての設定が同時に終了するような制御をしてもよい。例えば、輝度と音量を変更するような場合、輝度を設定する時間より音量を設定する時間が長い場合には、音量の設定が終了するまで、輝度の設定をゆっくり変化させる。そのための制御方法を次に説明する。
【００４０】
音量の設定については４だけ上げ、輝度を２だけ下げる場合、音量の設定時間は４ｔ時間かかり、輝度の設定は２ｔ時間かかる。そこで、輝度の調整にあたっては時刻ｔ毎に１ステップ上げるのではなく、時刻２ｔ毎に１ステップあげるような制御を行う。つまり、変化させる音量の設定ステップ値をＰ、輝度の設定値をＱとした場合、Ｐ＞Ｑであれば、輝度を時刻（Ｐ／Ｑ）・ｔ毎に１ステップ変化させる。また、Ｐ≦Ｑであれば、音量を時刻（Ｑ／Ｐ）・ｔ毎に１ステップ変化させる。これによって、音量と輝度の調整を同時に終了することができる。（Ｐ／Ｑ）が整数値にならない場合には、四捨五入することにより対応する。すなわち、図１３に示すように、音量の設定については５だけ上げ、輝度を２だけ下げる場合、輝度を時刻３ｔのときと時刻５ｔの時に１ステップずつ下げるようにする。
【００４１】
以上説明したように、実施の形態２に係るデジタル放送受信装置によれば、複数の番組を視聴する場合についても、いずれかの番組でジャンル変更が発生した場合にはその番組に対応した映像と音声について映像特性及び音声特性を所定の時間毎に所定の変化量ずつ段階的に変更するので、急激な特性の変化は無く、複数の画面について、視聴者に与える違和感を軽減することができる。
【００４２】
また、映像出力特性及び音声出力特性の双方を調整する際、同時に調整を終了するように制御をするので、どちらかの調整が長引いて視聴者に違和感を与えることを避けることができる。
【００４３】
なお、実施の形態１及び２では、デジタル放送を受信できるテレビを一例に説明をしたが、本発明は、デジタル放送を録画再生するハードディスクレコーダ、ＤＶＤレコーダにおいてコンテンツを再生する場合においても適用することができる。すなわち、ハードディスクやＤＶＤにはチューナから出力される多重化データを記録し、再生時にはその多重化データを読み出し、多重分離して映像データ、音声データ、番組内容データを生成する。多重分離後の制御については、上記で説明した通り予め決められたステップ時間ｔで徐々に映像出力特性及び音声出力特性を変化させることで同様に実現することができる。
【図面の簡単な説明】
【００４４】
【図１】本発明の実施の形態１に係るデジタル放送受信装置の構成を概略的に示すブロック図である。
【図２】実施の形態１に係るデジタル放送受信装置の設定格納手段に格納された番組ジャンル別の設定情報テーブルの内容を示す図である。
【図３】実施の形態１及び２における音量のステップ値の概念を示す図である。
【図４】実施の形態１及び２における輝度のステップ値の概念を示す図である。
【図５】実施の形態１及び２におけるコントラストのステップ値の概念を示す図である。
【図６】実施の形態１における映像出力特性及び音声出力特性の制御手順を示すフローチャートである。
【図７】実施の形態１における音量設定変更方法を模式的に示す図である。
【図８】実施の形態１における音量設定変更方法を模式的に示す図である。
【図９】（ａ）及び（ｂ）は、実施の形態１におけるネットワーク別でかつ、番組ジャンル別の設定情報テーブルの内容を示す模式図である。
【図１０】本発明の実施の形態２に係るデジタル放送受信装置の構成を概略的に示すブロック図である。
【図１１】実施の形態２における表示画面の構成の一例を示す図である。
【図１２】実施の形態２における記録情報管理テーブルの一例を示す図である。
【図１３】実施の形態１及び２における音量及び輝度設定変更方法を模式的に示す図である。
【符号の説明】
【００４５】
１  アンテナ（第１のアンテナ）、  ２  チューナ（第１のチューナ）、  ３  多重分離手段、  ４  映像復号手段、  ５  音声復号手段、  ６  映像信号生成手段、  ７  音声信号生成手段、  ８  映像表示手段、  ９  音声出力手段（第１の音声出力手段）、  １０  操作手段、  １１  制御手段、  １２  設定格納手段、  １３  第２のアンテナ、  １４  第２のチューナ、  １５  多重分離手段、  １６  映像信号生成手段、  １７  音声信号生成手段、  １８  第２の音声出力手段、  ３０  第１の表示領域、  ３１  第２の表示領域。
【図１】
2006245745.tif 000003
【図２】
2006245745.tif 000004
【図３】
2006245745.tif 000005
【図４】
2006245745.tif 000006
【図５】
2006245745.tif 000007
【図６】
2006245745.tif 000008
【図７】
2006245745.tif 000009
【図８】
2006245745.tif 000010
【図９】
2006245745.tif 000011
【図１０】
2006245745.tif 000012
【図１１】
2006245745.tif 000013
【図１２】
2006245745.tif 000014
【図１３】
2006245745.tif 000015